(57)【要約】  生体内の場所をリアルタイムで表示するためのシステム、装置および方法。生体内検知システムは、たとえば、生体内検知装置（４）と、受信装置／記録装置（６）と、ワークステーション（５０）と、携帯型の装置（４０）および／または携帯型のメモリ（６０）とを含み得る。受信装置／記録装置と、当該ワークステーションと、当該携帯型の装置とは、当該受信装置／記録装置から画像をダウンロードしている間、ストリームの画像を表示し得る。
2008504922.tif 000002
【特許請求の範囲】
【請求項１】
生体内の検知装置と、
前記検知装置が患者の体内に存在する間に前記生体内の検知装置から受信した画像を表示装置に表示するための受信装置とを備える、生体内検知システム。
【請求項２】
前記受信装置は、前記生体内の検知装置から受信した画像をメモリに記録することと、前記画像を処理することと、前記受信装置のディスプレイに前記画像を表示することとを、同時に実行する、請求項１に記載のシステム。
【請求項３】
前記受信装置は、前記生体内の検知装置から受信した画像をメモリに記録することと、同時に前記受信装置のディスプレイに前記画像を表示することとを実行する、請求項１に記載のシステム。
【請求項４】
ワークステーションを備える、請求項１に記載のシステム。
【請求項５】
前記ワークステーションは、ワークステーションのディスプレイを含む、請求項４に記載のシステム。
【請求項６】
前記受信装置は、前記生体内の検知装置から受信したストリーム画像のうちの画像をメモリに記録することと、前記画像を前記メモリから前記ワークステーションにダウンロードすることと、前記画像を前記ワークステーションのディスプレイに表示することとを同時に実行する、請求項５に記載のシステム。
【請求項７】
前記受信装置は、前記生体内の検知装置から受信したストリームの画像のうちの画像をメモリに記録することと、前記メモリからワークステーションに前記画像をダウンロードすることと、前記画像を前記ワークステーションのディスプレイに表示することとを同時に実行する、請求項５に記載のシステム。
【請求項８】
携帯型のメモリを備える、請求項１に記載のシステム。
【請求項９】
前記受信装置は、前記生体内の検知装置から受信した画像を携帯型の装置に記録する、請求項８に記載のシステム。
【請求項１０】
前記検知装置は、筐体と、イメージングシステムと送信装置とを含む、請求項１に記載のシステム。
【請求項１１】
前記受信装置は、携帯型の装置である、請求項１に記載のシステム。
【請求項１２】
前記ワークステーションは、携帯型の装置である、請求項４に記載のシステム。
【請求項１３】
前記ワークステーションは、前記受信装置が前記ワークステーションに記録された情報を転送する順序を制御する、請求項４に記載のシステム。
【請求項１４】
生体内検知装置から受信した情報をリアルタイムで記録するための受信装置であって、前記受信装置は、
メモリと、
アンテナと、
プロセッサと、
ディスプレイとを含む、受信装置。
【請求項１５】
前記受信装置は携帯可能である、請求項１４に記載の装置。
【請求項１６】
キーパッドを備える請求項１４に記載の装置。
【請求項１７】
セル方式の送信装置を備える請求項１４に記載の装置。
【請求項１８】
生体内の場所をリアルタイムで表示するための方法であって、
生体内の検知装置から受信した受信者情報をメモリに記録することと、
同時に、前記情報を処理することと、前記情報をディスプレイに表示することとを含む、方法。
【請求項１９】
同時に前記情報をメモリに記録することと、
前記メモリからワークステーションに前記情報をダウンロードすることと、
前記情報をディスプレイに表示することとを含む、請求項１８に記載の方法。
【請求項２０】
前記情報を前記受信装置から携帯型のメモリにダウンロードすることを含む、請求項１８に記載の方法。
【発明の詳細な説明】
【技術分野】
【０００１】
発明の分野
この発明は、生体内の撮像に関する。より特定的には、この発明は、生体内検知装置によって集められた情報を同時に受信し、記録し、処理し、および表示するための装置および方法に関する。
【背景技術】
【０００２】
発明の背景
たとえば、画像を取得する機能を有するカプセルのような生体内装置は、人体の内腔を通る間に、ストリーム画像を送信することができる。そのようなストリーム画像は、記録装置のメモリに記録可能であり、たとえば、上記の人体の内腔の健康状態に関する情報源として、人間のオペレータによって使用可能である。
【発明の開示】
【課題を解決するための手段】
【０００３】
発明の要約
この発明のある実施態様に従うと、生体内検知システムが提供され、そのシステムは、画像撮影機能を有するカプセルのような生体内検知装置と、たとえば、当該生体内検知装置からのストリーム画像のような情報を受信するための、および後の使用のためにメモリにそのストリーム画像を格納するための受信装置／記録装置とを備える。
【０００４】
加えて、この生体内検知システムは、ワークステーションおよび／または、たとえばリアルタイムで、当該受信装置／記録装置からのストリーム画像をダウンロードすることができ、かつ、そのストリーム画像を処理し、および／または、分析し、および／または表示することができる携帯可能な装置を含む。この発明のある実施態様に従うと、その情報はダウンロード可能であり、たとえばその受信装置／記録装置からリアルタイムで携帯型のメモリにダウンロード可能である。
【０００５】
さらに、この発明のある実施態様に従うと、受信装置／記録装置は、当該検知装置からの入力を同時に受付ける間に、当該検知装置からの情報をたとえばメモリに記録することができてもよい。関連付けられるワークステーションおよび／または携帯型の装置は、その受信装置／記録装置がそのストリーム画像のうちの他の画像を記録している間に、選択された順に選択された画像をダウンロードするために当該受信装置／記録装置を制御することができてもよい。
【０００６】
説明を単純にそして明確にするために、図に示される要素は必ずしも寸法に従って記されてはいないことに注意されるべきである。たとえば、ある要素の寸法は、明確化のために他の要素に対して強調されている。
【発明を実施するための最良の形態】
【０００７】
発明の詳細な説明
以下の詳細な説明において、この発明の実施態様の十分な理解を与えるために、数字による特定の詳細が述べられている。しかしながら、この発明の実施態様がそれらの特定の詳細なしで実施されることは、この発明の分野における通常の知識を有するものに理解されるであろう。他の例においては、周知の方法、手続、構成および回路は、この発明の実施態様を不明瞭にすることを防ぐために、詳細には述べられていない。
【０００８】
この発明のある実施態様に従うと、生体内検出システムは、画像撮影機能を有するたとえばカプセルのような生体内検知装置と、後の使用に備えてその生体内検知装置からストリーム画像を受信し、かつその画像をメモリに格納するための受信装置／記録装置とを備える。生体内検知システムにおいては、カプセル以外のものも使用可能である。
【０００９】
図１Ａは、例示的な生体内検知システム２の単純化された例を表わし、この発明のある実施態様に従うと、生体内検知装置４と、受信装置／記録装置６とを含む。この発明のある実施態様に従うと、検知装置４はカプセルであり得るが、他の構成が可能であり、この発明の範囲に含まれる。
【００１０】
この発明の実施態様は、米国出願番号１０／０４６，５４０に述べられたような生体内検知システムあるいは装置とともに使用可能であり、ここに参照により組み入れられる。他の実施態様に従うシステムは、イダン等（Iddan et al.）に対する米国特許第５，６０４，５３１号に述べられている実施態様に類似する撮像装置および／または受信システムとともに、および／または、２００１年９月１３日に公開された、名称が「生体内の撮像のための装置およびシステム」である国際出願番号ＷＯ０１／６５９９５号とともに使用され得るものであり、それらはすべて、ここに参照により組み入れられる。
【００１１】
以下の記載において示されているように、検知装置４は、患者の体内にある間に、たとえば画像のような情報を収集し得るものであり、そして、その患者の体内から無線信号１０を介して、少なくともその情報を受信装置／記録装置６に送信することができる。受信装置／記録装置６は、メモリ１２および／またはバッファを含み得るものであり、検知装置４から受信した情報をメモリ１２に記録することができる。任意に、受信装置／記録装置６は、ＬＣＤ、ＴＦＴ、ＣＲＴ、ＯＬＥＤあるいは他の適切なパネルを含み得るディスプレイ装置１８を含み得る。このディスプレイ装置は、受信装置／記録装置６に統合されてもよく、あるいは、受信装置／記録装置６に作動可能に接続され得る。受信装置／記録装置６は、その受信したおよび／または記録した情報を、たとえば無線あるいは有線の媒体を介してディスプレイ装置１８に送信し得る。
【００１２】
他の実施態様においては、受信装置／記録装置６は、アンテナ８を含み得るあるいはアンテナ８に接続される把持可能なあるいは携帯型の装置であり、あるいは把持可能なあるいは携帯型の装置に含まれ得る。アンテナ８は、装置４が患者の体内にある間に、装置４から送信されあるいは装置４に送信される無線信号１０を集めること、あるいは送信することに適していてもよい。ある実施態様においては、受信装置／記録装置６は、ディスプレイ装置１８における表示のために、無線信号１０を例えば符号化し、あるいは復号化し得る１つまたはそれよりも多いプロセッサ１４を、および装置４から受信した信号１０を増幅するために適切であり得るアンプ１７を、含み得る。ある実施態様においては、受信装置／記録装置６は、たとえば、パーソナルデジタルアシスタントあるいは他の把持可能なあるいは携帯型のコンピュータ装置であってもよく、あるいは、含んでいてもよい。
【００１３】
ある実施態様においては、プロセッサ１４は、検知装置４がその患者の体内にまだ存在している間に、そして、受信装置／記録装置６が検知装置４によって集められた情報を記録している間に、受信装置／記録装置６から集められた情報を処理し、および／または、人間のオペレータに対して表示し得る。ディスプレイ装置１８は、液晶表示装置（ＬＣＤ（Liquid Crystal Display））、薄膜トランジスタ（ＴＦＴ（Thin Film Transistor））、ブラウン管（ＣＲＴ（Cathode Ray Tube））、有機発光ダイオード（ＯＬＥＤ（Organic Light Emitting Device））あるいは他の適切なパネルを含み得る。
【００１４】
ある実施態様においては、受信装置／記録装置６は、コントロールコマンドを発行するように構成された、たとえばキーパッド１３あるいはキーのようなコントロールパネルを
含み得る。そのようなコントロールコマンドは、たとえばプロセッサ１４によって、装置４に対する無線信号１０によってコマンドを発行するために、符号化され、あるいは、別の方法で処理され得る。ある実施態様においては、そのようなコントロールコマンドは、たとえば、撮像を開始あるいは停止するための、サンプルの収集を開始しあるいは終了するためのコマンド、装置４の１つまたはそれよりも多い機能の状態を変更するための他のコマンドを含み得る。
【００１５】
動作中は、受信装置／記録装置６は、たとえば、ユーザあるいはオペレータによって、患者の体の上に載せてあるいは近接して保持され得るものであり、そして、その患者の胃腸の管に対応するその体の範囲の辺りを動かされる。アンテナ８は、受信装置／記録装置６の一部であり、あるいは受信装置／記録装置６に接続され得るものであり、そして、受信装置／記録装置６が装置４の置かれている患者の体の範囲の近くあるいは最も近いところを過ぎた場合に、画像あるいは他の送信されたデータを収集することができる。その画像あるいは他のデータが受信された患者の体の範囲は、ユーザあるいはオペレータに対して、装置４のおおよその位置の目安を与え得る。受信装置／記録装置６によって受信された当該画像あるいは他のデータは、生体内の範囲内で装置４の位置をさらに示し得るものであってもよい。他の実施態様においては、受信装置／記録装置６によって受信されたその位置のデータあるいは表示されたその画像に基づいて、ユーザあるいは他のオペレータは、装置４をアクティブにし、あるいは停止し、もしくは動作の状態を変更するために、装置４に信号１０を発するようにしてもよい。
【００１６】
他の実施態様においては、装置４から送信された情報を、連続的にあるいは周期的に記録するために、たとえばベルトあるいは衣服２２において、患者の体に装着され得るアンテナ２１の配列に加えて、受信装置／記録装置６が使用され得る。他の実施態様においては、受信装置／記録装置６は、たとえばＵＳＢ、ブルートゥース（登録商標）、無線周波数あるいは赤外線リンクのようなリンク１９を含み得るものであり、それは、アンテナ２１、あるいは衣服２２において患者の体に装着され得るアンテナ２１に取り付けられる装置に接続する。受信装置／記録装置６は、装置４によってアンテナ２１に向けて送信される画像あるいは他のデータのすべてあるいはいくつかを表示し得る。動作中は、ユーザは、たとえばＰＤＡ、携帯電話、などのディスプレイ装置あるいは他の計算装置を有するような受信装置／記録装置６を身に付け、あるいは運び得るものであり、そして、そのようなユーザは、装置４によって送信されたあるいは集められたデータを、周期的に監視することができる。ユーザは、たとえば医師のような遠隔地にいるオペレータに、そのようなデータを、たとえばリアルタイムで送信し得る。
【００１７】
他の実施態様においては、受信装置／記録装置６は、受信装置／記録装置６に固定され、あるいは着脱可能であり得るメモリ１２を含んでもよい。メモリ１２の一例の網羅的ではない一覧は、以下のいずれかの組み合せを含む：レジスタ、ラッチ、電気的に消去可能でプログラム可能な読出専用メモリ装置（ＥＥＰＲＯＭ）、否定積（ＮＡＮＤ）フラッシュメモリ装置、ノットＯＲ（ＮＯＲ）フラッシュメモリ装置、不揮発性のランダムアクセスメモリ装置（ＮＶＲＡＭ）、同期型ダイナミックランダムアクセスメモリ（ＳＤＲＡＭ）装置、ＲＡＭＢＵＳダイナミックランダムアクセスメモリ（ＲＤＲＡＭ）装置、ダブルデータレート（ＤＤＲ）メモリ装置、静的ランダムアクセスメモリ（ＳＲＡＭ）、ユニバーサルシリアルバス（ＵＳＢ）着脱可能メモリ、コンパクトフラッシュ（登録商標）（ＣＦ）メモリカード、パーソナルコンピュータメモリカード国際協会（ＰＣＭＣＩＡ）メモリカード、セキュリティアイデンティティモジュール（ＳＩＭ）カード、メモリスティック（登録商標）カード等と、ハードディスク、フロッピー（登録商標）ディスク、磁気テープ等。ある実施態様においては、メモリ１２は、約１０ギガバイトのメモリを有していてもよい。
【００１８】
ある実施態様においては、受信装置／記録装置６は、たとえば携帯型の送信装置１６のような送信機を含み得るものであり、あるいは接続されるものであってもよく、その送信機は、装置４から受信した信号を遠隔地にいるオペレータあるいは観察者に送信し得るものであり、あるいは、たとえばアンテナ８を介して装置４にさらに伝送するために遠隔地にいる観察者からの信号を受信し得る。ある実施態様においては、受信装置／記録装置６は、リンク１９を介して情報をダウンロードすることができ、遠隔地にいる使用者にそのような情報を送信し得るものであり、あるいは、受信装置／記録装置６もしくは受信装置／記録装置６に接続されているメモリ１２にその情報を格納し得る。
【００１９】
図１Ｂは、例示的な生体内検知システム２の他の例であり、この発明のある実施態様に従うと、たとえば、生体内検知装置４と、受信装置／記録装置３０と、ノートブックあるいはラップトップコンピュータと、パーソナルデジタルアシスタントのような携帯型の装置４０と、および／または、ワークステーション５０および／または着脱可能なメモリ６０とを備える。
【００２０】
以下の説明において示されるように、検知装置４は、患者の体内に存在する間に、情報、たとえばストリーム画像のような生データを収集することができる。この発明の一実施態様に従うと、検知装置４は、その患者の体内に存在する間に、たとえば無線あるいはハードワイヤード媒体１０を介して、少なくともその情報を受信装置／記録装置３０に送信し得る。この発明の一実施態様に従うと、受信装置／記録装置３０は、たとえば、メモリ３２および／またはバッファを含み得るものであり、検知装置４から受信した情報をたとえばメモリ３２に記録し得る。この発明の一実施態様に従うと、受信装置／記録装置６は、その受信したおよび／または記録した情報を携帯型の装置４０たとえばソニーバイオ（登録商標）のような軽量の携帯型コンピュータ、パーソナルデジタルアシスタントおよび／またはワークステーションに向けてたとえば、無線あるいはハードワイヤード媒体４４（ＵＳＢケーブルのような）によって送信し得るものであり、検知装置４から受信する間／記録する間に、および、その検知装置が患者の体内に存在する間にそのようにし得る。
【００２１】
この発明のある実施態様に従うと、携帯型の装置４０および／またはワークステーション５０は、検知装置４がその患者の体内にまだ存在している間に、および、受信装置／記録装置６が検知装置４によって集められた情報を記録している間に、受信装置／記録装置６から受信したストリーム画像のような情報を処理し、および／または、たとえば人間のオペレータに対して表示することができる。たとえば、この発明の一実施態様に従うと、携帯型の装置４０は、ディスプレイ装置４６を含み得るものであり、たとえば、メモリ３２に記録されたそのストリーム画像を、ディスプレイ装置４６に表示することができる。
【００２２】
さらに、この発明のある実施態様に従うと、その情報は受信装置／記録装置３０から送信され得るものであり、および／または、たとえば携帯型の装置４０もしくはワークステーション５０を介してディスク・オン・キー（ＤｉｓｋｏｎＫｅｙ）あるいは他の小型で軽量なメモリ装置のような着脱可能なメモリ６０に対して転送され得る。たとえば、当該情報、すなわちストリーム画像は、受信装置／記録装置３０によって記録され得る。
【００２３】
他の実施態様において、図１Ｃに示されるように、受信装置／記録装置３０、および／またはワークステーション５０、および／または携帯型の装置４０は、ソフトウェアとオペレーティングシステム、あるいは、他の命令を含み得るものであり、それらは、装置４から送信されているデータあるいは画像について、表示、分析あるいは処理する能力を与えることができる。
【００２４】
この発明のある実施態様によると、オペレーティングシステムは、１またはそれよりも多い手続を実行するための「ツールボックス」画面９０のような情報表示を含み得る。た
とえば、画面９０は、患者受付ボックス９２と、「着脱可能なメモリ装置にデータを転送」ボックス９４と、リアルタイム表示ボックス９６と、終了ボックス９８とを含み得る。他の機能が含まれていてもよい。
【００２５】
図２は、この発明のある実施態様に従う生体内検知システム２の例示的なブロック図である。この発明のある実施態様に従うと、生体内検知システム２は、生体内検知装置４と、受信装置／記録装置２３０と、携帯型の装置２５１とを含み得るものであり、それはワークステーションであり、あるいはワークステーションに含まれ得る。
【００２６】
この発明のある実施態様に従うと、検出装置４は、容器あるいは筐体２４１を含み得る。この発明の一実施態様に従うと、筐体の内部に、たとえば、撮像システム２１８と、制御ブロック２２０と、送信装置２２２と、受信装置２２４とアンテナ２２６とが含まれ得る。この発明の一実施態様に従うと、検知装置４は、少なくとも、撮像システム２１８と制御ブロック２２０と送信装置２２２と任意の受信装置２２４に対して電力を供給するための電源２２８を含み得る。
【００２７】
この発明の一実施態様に従うと、すべての構成部品は、検知装置４の筐体に密封され得るものであり（その筐体あるいはシェルは１つ以上の部品を含み得る）、たとえば、撮像システム、電源、ならびに送信および制御システムは、すべて、検知装置４の筐体の内部で密封され得る。
【００２８】
この発明の一実施態様に従うと、検知装置４は、典型的には、自発的に飲み下すことが可能なカプセルであってもよく、あるいはカプセルを含んでもよいが、装置４は、他の形状を有していてもよく、また飲み下せなくても、あるいは自発的でなくてもよい。装置４の実施例は、典型的には、自発的であり、あるいは典型的には内蔵型である。たとえば、装置４は、カプセル、あるいは、容器あるいはシェルの中に実質的にすべての構成部品が含まれる他の装置でもよい。そして、装置４がたとえば電力の供給を受け、あるいは情報を送信するために、いかなる有線あるいはケーブルを必要としない他の装置であってもよい。
【００２９】
この発明のある実施態様に従うと、送信装置２２２は、たとえば装置４のさまざまな動作を制御するための制御機能を含み得るが、制御能力あるいは、１つ又はそれよりも多い制御の局面が離れた構成部品に含まれてもよい。
【００３０】
この発明の一実施態様に従うと、電源２２８は、たとえば酸化銀バッテリ、リチウム電池、コンデンサ、あるいは他の適切な電源のようなバッテリを含み得る。この発明の他の実施態様において、電源２２８は存在しなくてもよく、当該装置は、たとえばその装置に対して伝わる磁界あるいは電界によって、外部の電源によって電力の供給を受けてもよい。
【００３１】
撮像システム２１８は、光学ウインドウ２３０と、たとえば発光ダイオード（ＬＥＤ）、ＯＬＥＤ（有機ＬＥＤ）のような少なくとも１つの発光源２３２と、イメージングセンサ２３４と、光学系２３６とを含み得る。
【００３２】
イメージングセンサ２３４は、固体イメージングセンサ、相補型金属酸化膜半導体（complementary metal oxide semiconductor（ＣＭＯＳ））イメージングセンサ、電荷結合素子（charge coupled device（ＣＣＤ））イメージングセンサ、リニアイメージングセンサと、ラインイメージングセンサと、フレームイメージングセンサ、「カメラオンチップ」イメージングセンサ、または他の適切なイメージングセンサを含み得る。
【００３３】
この発明のある実施態様に従うと、制御ブロック２２０は、少なくとも部分的には、検知装置４の動作を制御し得る。たとえば、制御ブロック２２０は、発光源２３２が光線を生成する時間間隔と、イメージングセンサ２３４が画像を撮像する時間間隔と、送信装置２２がその画像を送信する時間間隔とを同期させる。加えて、制御ブロック２２０は、送信装置２２２と光学受信装置２２４とイメージングセンサ２３４との動作に必要なタイミング信号あるいは他の信号を生成し得る。さらに、制御ブロック２２０は、たとえば画像データバッファリングのように検知装置４の他の構成要素によって実行される動作を補うための動作を、実行し得る。
【００３４】
この発明のある実施態様に従うと、制御ブロック２２０は、たとえば組み合せ論理、ステートマシン、コントローラ、プロセッサ、メモリ要素その他のような論理コンポーネントのいかなる組み合せも含み得る。
【００３５】
制御ブロック２２０と送信装置２２２と受信装置２２４とイメージングセンサ２３４とは、半導体のダイのいかなる組み合せにおいても実現され得る。たとえば、そしてこの発明はこの点に限られないけれども、制御ブロック２２０と送信装置２２２と受信装置２２４とは、第１の半導体のダイの一部であってもよく、また、イメージングセンサ２３４は、第２の半導体のダイの一部であってもよい。さらに、そのような半導体のダイは、特定用途向け集積回路（application-specific integrated circuit（ＡＳＩＣ））であってもよく、あるいは、特定用途向け汎用集積回路（application-specific standard product（ＡＳＳＰ））の一部であってもよい。ある実施態様に従うと、ダイは積み重ねられてもよい。ある実施態様に従うと、当該構成部品のいくつかあるいはすべては、同じダイの上にあってもよい。
【００３６】
この発明のある実施態様に従うと、発光源２３２は、光学ウインドウ２３１を透過することができ、かつ、人体の内腔の内部２４０を照射することができる光線２３８を発生し得る。人体の内腔の一例の網羅的でない一覧は、胃腸管（ＧＩ）と、血管と、生殖器官と他の妥当な人体の内腔とを含み得る。
【００３７】
人体の内腔の内部２４０からの光線２３８の反射光２４２は、光学ウインドウ２３０を透過して検知装置４に戻り得るものであり、光学系２３６によってイメージングセンサ２３４上で焦点が合わされ得る。この発明のある実施態様に従うと、イメージングセンサ２３４はその焦点が合った反射光２４２を受信し得るものであり、制御ブロック２２０からの画像取得コマンド２４４に応答して、イメージングセンサ２３４は、人体の内腔の内部２４０の画像をキャプチャし得る。この発明のある実施態様に従うと、制御ブロック２２０は、有線２４６を介して、イメージングセンサ２３４から内部２４０の画像を受信し得るものであり、アンテナ２２６を介して無線媒体２１０に対して内部２４０の画像を送信するために送信装置２２２を制御することができる。
【００３８】
検知装置４は、人体の内腔の軸に沿って、受動的にあるいは能動的に前進し得る。その前進に実質的に同等であり、あるいはなくてもよく、また、関連付けられ、もしくは関連付けられない時間の間隔ごとに、制御ブロック２２０は、イメージングセンサ２３４による画像の取得を開始し得るものであり、そして、その取得された画像を送信するために送信装置２２２を制御することができる。結果として、その人体の内腔の内部のストリーム画像は、検知装置４から無線媒体２１０を介して送信され得る。
【００３９】
装置４は、「無線通信フレーム」に組み込まれた取得画像を送信し得る。無線通信フレームのペイロード部は、取得された画像を含み得るものであり、たとえばテレメトリー情報、および／または、巡回冗長コード（cyclic redundancy code（ＣＲＣ））および／または、エラー訂正符号（ＥＣＣ）のような付加データを含み得る。加えて、無線通信フレ
ームは、オーバーヘッド部を含み得るものであり、それは、たとえば、フレーミングビット、同期ビット、プリアンブルビットなどを含み得る。
【００４０】
この発明のある実施態様に従うと、受信装置／記録装置２３０は、アンテナ２４８と、たとえばＲＦ受信装置２５０のような受信装置と、光学送信装置（ＴＸ）２５２と、デジタルモデム２５４と、メモリコントローラ２５６と、プロセッサ（ｕＰ）２５８と、たとえばユニバーサルシリアルバス（ＵＳＢ）コントローラ２６０のような通信コントローラとを含み得る。この発明の他の実施態様に従うと、送信装置５２は、受信装置／記録装置２３０から独立した装置であってもよい。
【００４１】
この発明のある実施態様に従うと、プロセッサ２５８は、たとえばバス２６２を介して、ＲＦ受信装置２５０と、任意の送信装置２５２と、デジタルモデム２５４と、メモリコントローラ２５６と、ＵＳＢコントローラ２６０との動作を制御することができる。加えて、ＲＦ受信装置２５０と、任意の送信装置２５２と、デジタルモデム２５４と、メモリコントローラ２５６と、プロセッサ２５８と、ＵＳＢコントローラ２６０とは、バス２６２を介して、検知装置４あるいはその各部から受信した画像のようなデータを交換することができる。制御あるいはデータ交換のための他の方法が可能であって当該発明の範囲内であることが、理解され得る。
【００４２】
この発明のある実施態様に従うと、アンテナ２４８は、受信装置／記録装置２３０の内部あるいは外部に装着され得るものであり、ＲＦ受信装置２５０と任意の送信装置２５２とはいずれも、アンテナ２４８に接続され得る。この発明のある実施態様に従うと、送信装置２５２は、アンテナ２４８を介して、無線メッセージを検知装置４に対して送信することができる。この発明のある実施態様に従うと、ＲＦ受信装置２５０は、アンテナ２４８を介して、検知装置４からの、たとえば、無線通信フレームのストリームのような伝送信号を受信することができ、その受信された無線通信フレームに対応する信号２６４を出力し得る。
【００４３】
この発明のある実施態様に従うと、デジタルモデム２５４は、ＲＦ受信装置２５０のサンプリングされたアナログ信号のビット２６４を受信し得るものであり、そのアナログ信号２６４から作られたデジタルビット２６５を出力することができ、たとえば、プロセッサ２５８によって受信されるペイロード有効指示２６６を出力することができ。この発明のある実施態様に従うと、ペイロード有効指示２６６は、ペイロード部（図３の３０６）の間、たとえば、ハイ（high）論理レベルまで、デジタルモデム２５４によってアサートされ得るものであり、その他の場合は、たとえばロー（low）論理レベルまでデジタルモデム２５４によってデ・アサートされ得る。ペイロードビット２６５は、メモリコントローラ２５６によって受信され得るものであり、ペイロード有効指示２６６は、プロセッサ２５８によって受信され得る。
【００４４】
メモリコントローラ２５６は、書込ダイレクトメモリアクセス（write direct memory access（ＤＭＡ））コントローラ２６８と、読取ＤＭＡコントローラ２７０と、ヘッダ記憶部２７２と、書込ページポインタ記憶部２７４と、読取ページポインタ記憶部２７６と、読取／書込バーストサイズ記憶部２７７とを含み得る。ペイロード有効指示２６６のアサートに応答して、プロセッサ２５８は、書込ページポインタ記憶部２７４に、メモリ２１２のページに対するポインタを格納することができ、任意に、ヘッダを、ヘッダ記憶部２７２に格納し得る。加えて、プロセッサ２５８は、デジタルモデム２５４から無線通信フレームのペイロードビット２６５を受信するために、書込ＤＭＡコントローラ２６８を起動することができ、そのペイロードビット２６５をメモリ２１２に保存し得る。この発明のある実施態様に従うと、受信装置／記録装置２３０は、媒体２１４を介して、ワークステーション２５１および／または携帯型の装置と通信することができる。たとえば、こ
の発明のある実施態様に従うと、受信装置／記録装置２３０は、メモリ２１２に記録されているペイロードをワークステーション２５１に転送することができ、また、ワークステーション２５１から制御信号を受信することができる。この発明はこの点に限られるものではないが、媒体２１４は、たとえばＵＳＢケーブルであってもよく、受信装置／記録装置２３０のＵＳＢコントローラ２６０または装置２５１のＵＳＢコントローラ２８０に接続されてもよい。代替的に、媒体２１４は、無線であってもよく、受信装置／記録装置２３０および装置２５１は、無線で通信し得る。
【００４５】
この発明のある実施態様に従うと、受信装置／記録装置２３０は、ＵＳＢコントローラ２６０あるいは他の適切なリンクを介して、検知装置４から装置２５１に受信されたようにストリームのペイロードの送信をたとえば開始するための制御信号を、装置２５１から受信し得るものであり、そのストリームの特定のペイロードにおいて開始する。ＵＳＢコントローラ６０は、その制御信号を、バス６２を介して、プロセッサ５８に転送し得る。
【００４６】
この発明のある実施態様に従うと、装置２５１から受信した制御信号に応答して、プロセッサ２５８は、メモリコントローラ２５６およびＵＳＢコントローラ２６０をプログラムして、読取ＤＭＡコントローラ２７０が装置２５１によって要求された順番に、メモリ２１２からペイロードをフェッチし、そのフェッチしたペイロードをＵＳＢコントローラ２６０に送り、かつ、ＵＳＢコントローラ２６０がそのフェッチされたペイロードを装置２５１に送信する。たとえば、プロセッサ２５８は、読取ページポインタ記憶部２７６に対して、読取ＤＭＡコントローラ２７０がメモリ２１２のどこからペイロードのフェッチを開始することができるかの部分に対するポインタを書き込むことができる。加えて、プロセッサ２５８は、読取／書込バーストサイズ記憶部２７７に対して、読取ＤＭＡコントローラ２７０が一度のバーストによってフェッチできるメモリ２１２の部分の数を書き込み得る。
【００４７】
読取ＤＭＡコントローラ２７０は、書込ＤＭＡコントローラ２６８がメモリ２１２にアクセスしていない間に、記録されているペイロードをフェッチするために、メモリバス２７８を介して、メモリ２１２にアクセスし得る。少なくともこの目的のために、書込ＤＭＡコントローラ２６８は、たとえば、指示２８４を読取ＤＭＡコントローラ２７０に出力し得る。この発明のある実施態様に従うと、書込ＤＭＡコントローラ２６８は、ペイロード有効指示２６６のアサートに応答して、たとえば指示２８４をハイ論理レベルにアサートし得る。そして、たとえば、当該ヘッダをメモリ２１２に書き込むことが完了した後に、指示２８４をロー論理レベルにデ・アサートし得る。この発明のある実施態様に従うと、読取ＤＭＡコントローラ２７０は、指示２８４がデ・アサートされた後に、メモリ２１２から、記録されているペイロードのフェッチを開始することができ、そして、メモリ２１２から、読取／書込バーストサイズ記憶部２７７に格納されている数に等しい部分の数をフェッチすることができる。
【００４８】
たとえば、この発明のある実施態様に従うと、読取／書込バーストサイズ記憶部２７７に格納されている数は、読取ページポインタ記憶部２７６に格納されているポインタの数に、および／または、読取ＤＭＡコントローラ２７０がメモリ２１２から記録されているペイロードをフェッチするために利用可能な時間に、関連付けられ得る。
【００４９】
読取ＤＭＡコントローラ２７０は、たとえばバス２６２を介して、バーストの終了をプロセッサ２５８に通知するために、指示をプロセッサ２５８に送信し得る。
【００５０】
ある実施態様に従うと、そのメモリにおける逆方向および順方向への動きはイネーブルされ得る。他の実施態様に従うと、データは、デジタルモデム２５４からＵＳＢコントローラ２６０に直接に送信（たとえば、フェッチ）され得る。したがって、読取ＤＭＡ２７
０に対する書き込みは必要でなくなり得る。ある実施態様に従うと、読取ＤＭＡ２７０は、受信装置／記録装置２３０に含まれている必要がない。
【００５１】
装置２５１は、プロセッサ２８６と、たとえばマウスあるいはキーボードのような少なくとも１つのヒューマンインターフェイス装置（human interface device（ＨＩＤ））２８８と、メモリ２９０と、ディスプレイ装置２１６に接続される表示コントローラ２９２とを含み得る。
【００５２】
この発明のある実施態様に従うと、プロセッサ２５８は、バス２９４を介して、ＵＳＢコントローラ２８０、ＨＩＤ２８８、メモリ２９０および表示コントローラ２９２の動作を制御することができる。加えて、ＵＳＢコントローラ２８０とプロセッサ２８６とＨＩＤ２８８とメモリ２９０と表示コントローラ２９２とは、バス２９４を介して、たとえば受信装置／記録装置２３０から受信した無線通信フレームのペイロード、あるいは、その受信装置／記録装置２３０の部分から受信した無線通信フレームのペイロードのようなデータを、交換することができる。
【００５３】
この発明のある実施態様に従うと、受信装置／記録装置２３０から受信した無線通信フレームのペイロードは、バス２９４を介して、あるいはプロセッサ２８６によって、ＵＳＢコントローラ２８０からメモリ２９０に対して、ＤＭＡプロセスにおいて転送され得る。
【００５４】
この発明のある実施態様に従うと、画像は、メモリ２９０に格納されているペイロードから抽出されてもよく、表示されるために表示コントローラ２９２によってディスプレイ装置２１６に転送されてもよく、および／または、プロセッサ２８６によって分析されてもよい。
【００５５】
プロセッサ２５８および２８６の一例の網羅的でない一覧は、中央処理装置（central processing unit（ＣＰＵ））、デジタル信号プロセッサ（digital signal processor（ＤＳＰ））、縮小命令セットコンピュータ（reduced instruction set computer（ＲＩＳＣ））、複雑命令セットコンピュータ（complex instruction set computer（ＣＩＳＣ））等を含む。さらに、プロセッサ２２０，２５８および／または２８６は、特定用途向け集積回路（application specific integrated circuit（ＡＳＩＣ））の一部であってもよく、あるいは、各々特定用途向け汎用集積回路（application specific standard product（ＡＳＳＰ））の一部であってもよい。
【００５６】
装置２５１の一例の網羅的でない一覧は、ＯＥＭ（original equipment manufacturer）向けのワークステーション、デスクトップ型のパーソナルコンピュータ、サーバコンピュータ、ラップトプコンピュータ、パーソナルデジタルアシスタント、ノートブックコンピュータ、携帯型のコンピュータ等を含み得る。
【００５７】
次に、この発明の実施態様に従う生体内検知システム２において生じ得るイベントを表わす、単純化されたタイミング図である図３が参照される。
【００５８】
この発明のある実施態様に従うと、検知装置４によって送信される無線通信フレームの例示的なペイロードは、たとえば２５６画素×２５６画素およびＥＣＣからなる取得された画像を含み得る。検知装置４は、たとえば、５００ミリ秒（ｍＳ）の実質的に等しいフレーム時間間隔（３００）について１秒当たり２つの無線通信フレームを送信し得る。フレームタイム間隔の送信部分（３０２）の間、検知装置４は、無線通信フレームを送信することができ、フレーム時間間隔の停止部分（３０４）の間、検知装置４は、送信することができない。加えて、送信部分（３０２）のうちのペイロード部分（３０６）の間、検
知装置４は、無線通信フレームのペイロードを送信することができ、一方、送信部（３０２）の残りの間、検知装置４は、無線通信フレームのオーバーヘッドを送信することができる。他の実施態様に従うと、停止部分（３０４）は、必要でなくてもよい。フェッチ動作および送信は、たとえば以下に述べられるように、送信期間（３０２）の間ほとんど同時に実行され得る。
【００５９】
この発明のある実施態様に従うと、任意の受信装置２２４は、アンテナ２２６によって無線媒体２１０を介して無線メッセージを受信することができ、制御ブロック２２０は、これらのメッセージを取得することができる。そのようなメッセージの一例の網羅的でない一覧は、検知装置４による撮像を有効にすること又は無効にすること、画像の撮影のためのタイムインターバルを制御すること、検知装置４からの送信を有効にすること又は無効にすること、その他の適切なメッセージを含む。
【００６０】
この発明のある実施態様に従うと、書込ＤＭＡコントローラ２６８は、ペイロードビット２６５を受信することができ、メモリバス２７８を介してメモリ２１２にアクセスすることができ、書込ページポインタ記憶部２７４に格納されているポインタによって示されるメモリ２１２の部分に、ペイロードビット２６５を格納し得る。ペイロード有効指示２６６の後に続くデ・アサートに応答して、プロセッサ２５８は、ペイロードビット２６５の終わりを示すために制御信号をメモリコントローラ２５６に送信し得る。応答して、書込ＤＭＡコントローラ２６８は、ペイロードビット２６５の最後のバイトに、あるいはメモリ２１２における最初のバイトの前に、ヘッダ記憶部２７２に格納されているヘッダを付加してもよく、そして、その動作を終了することができる。この発明のある実施態様に従うと、図３に示されるように、実質的に重複するペイロード部分（３０６）のタイムインターバルの間、ＲＦ受信装置２５０によって受信されたペイロードは、メモリ２１２に格納され、一方、ペイロード（３０６）に加えられるタイムインターバル（３０８）の間、ヘッダ記憶部２７２に格納されているヘッダは、メモリ２１２に格納される。
【００６１】
この発明のある実施態様に従うと、ペイロードビット２６を独立してメモリ２１２に格納するために書込ＤＭＡコントローラ２６８を駆動しているプロセッサ２５８のプロセスは、一連の無線通信フレームのフレームについて反復し得る。さらに、検知装置４から受信されたペイロードの順序は、メモリ２１２において追跡可能であってもよい。
【００６２】
次に、この発明のある実施態様に従って検知装置の動作のタイミング図を表わす概念的な図である図４Ａおよび４Ｂが参照される。この発明のある実施態様に従うと、図４Ａに示されるように、全体の記録期間４１０、すなわち受信装置／記録装置６によってメモリ１２に対して検知装置４から受信した情報を記録することは、時刻Ｔにおいて始まり、時刻Ｔ１において終了し得る。ダウンロード／処理期間４２０および同時に表示する期間４４０、たとえば受信装置／記録装置６からワークステーション５０に対して情報をダウンロードすることおよびその情報を表示することは、時刻Ｔ１において始まり、時刻Ｔ２において終了し得る。ある実施態様に従うと、受信装置／記録装置６は、メモリ１２にその情報を記録してもよく（記録期間４１０）、その後に、その情報を処理し、および／またはディスプレイ装置１８のようなディスプレイ装置にその情報を表示してもよい（ダウンロード／処理期間４２０および表示期間４３０）。
【００６３】
この発明のある実施態様に従うと、たとえば図４Ｂに示されるように、記録期間４４０、ダウンロード／処理期間４５０および表示期間４６０はすべて、時刻Ｔにおいて開始し、時刻Ｔ１において終了し得る。たとえば、生体内検知システムは、ストリーム画像のような情報を同時に記録し、ダウンロードし、表示してもよく、したがって、当該検知装置が患者の体内に存在する間に、その患者の内腔のリアルタイムの表示を可能にすることができる。
【００６４】
この発明の一実施態様に従うと、受信装置／記録装置６は、メモリ１２のようなメモリに検知装置４から受信した情報を記録し、その情報を処理し、かつディスプレイ装置１８のような表示装置にその情報を（図１Ａに示されるように）表示することを同時に行なってもよい。
【００６５】
この発明の他の実施態様に従うと、受信装置／記録装置６は、メモリ３２のようなメモリに検知装置４から受信した情報を記録し、そのメモリからワークステーション５０あるいは携帯型の装置にその情報をダウンロードすることを同時に行なってもよい。その情報は、ダウンロード／処理期間４５０および記録期間４４０の間、ディスプレイ装置４６のような表示装置に同時に表示されてもよい。
【００６６】
この発明のある実施態様に従うと、制御ボタンがディスプレイ装置１８のような表示装置に含まれていてもよく、当該検知装置が患者の体内に存在する間、また、記録期間４４０およびダウンロード／処理期間４５０の間、たとえば、リアルタイムで、ユーザがたとえばストリーム画像の早送り、巻戻し、再生の停止、あるいは先頭もしくは終了への移動を可能にしてもよい。
【００６７】
図５Ａは、この発明のある実施態様に従って、生体内検知装置によって集められたたとえばストリーム画像の情報を同時に受信しおよび表示するための方法の概念的なフローチャートである。ステップ５１０にて、情報、たとえばストリームの画像は、検知装置４が患者の体内に存在する間、たとえば受信装置／記録装置６を使用することによって検知装置４から受信され得る。ステップ５２０にて、その情報は、受信装置／記録装置６によって、たとえばメモリ１２に記録され得る。ステップ５３０にて、その情報は、その受信装置／記録装置によって処理され、および／または、たとえばメモリ１２からワークステーションにダウンロードされ得るものであり、同時に、たとえばディスプレイ装置４６に（たとえば図１Ｂに示されるように）表示され得る。
【００６８】
図５Ｂは、この発明のある実施態様に従って生体内の場所をリアルタイムで表示するための方法の概念的なフローチャートである。ステップ５６０にて、情報は、たとえば受信装置／記録装置６を使用することによって、検知装置から受信され得る。ステップ５７０にて、その検知装置によって送信された情報は、同時に、メモリに記録され、その受信装置／記録装置によって処理され、および／またはそのメモリからたとえばワークステーション５０にダウンロードされ得る。その情報は、受信装置／記録装置がその情報を記録し処理しあるいはダウンロードしている間、たとえばディスプレイ装置４６に表示され得るものであり、これにより、検知装置４が患者の体内に存在する間もリアルタイム表示が可能になる。
【００６９】
図６は、この発明のある実施態様に従って情報を受信するための方法の例示的で簡略化された概念的なフローチャートの一例である。ステップ６１０にて、情報、たとえばストリームの画像は、たとえば受信装置／記録装置３０を使用することによって検知装置４から受信され得る。その間、検知装置４は患者の体内に存在している。ステップ６２０にて、その情報は、メモリ３２のようなメモリに、（図１Ｂに示されるように）たとえば受信装置／記録装置６を用いて記録される。ステップ６３０にて、その情報は、たとえばメモリ３２から５ギガのディスクオンキー（５Ｇ  DiskonKey）のような着脱可能なメモリにダウンロードされ得る。ある実施態様に従うと、その情報は、受信装置／記録装置３０によって同時に記録されてもよく、たとえば着脱可能なメモリ６０によってダウンロードされてもよい。ステップ６４０にて、ダウンロードされたその情報は、たとえば、患者のチェックイン情報あるいは他の情報とともに処理のための中央サイトに送られ得る。当該中央サイトは、たとえば、生体内検知装置４から得られたデータをプレビューするための訓
練を受けた、健康についての専門家を擁する病院あるいは読み取りセンターなどであり得る。
【００７０】
図７は、この発明のある実施態様に従う、データを受信するための方法について例示的で簡略化された概念的なフローチャートの例示である。ステップ７１０にて、ユーザあるいはオペレータは、たとえば胃腸管あるいは生体内センサが患者の体内にある患者のその胃腸管の他の範囲に従って、体の範囲にわたって受信装置／記録装置を移動させ得る。
【００７１】
ステップ７２０にて、生体内センサのおおよその位置がたとえば当該受信装置／記録装置の位置に基づいて、当該センサからの信号がその受信装置／記録装置によって受信されたときに決定され得る。たとえば、ユーザは、その患者の腹部にわたって、その受信装置／記録装置をあてがうことができ、画像がディスプレイ装置に現われたときにそれを停止する。ある実施態様においては、位置の決定は、行なわれなくてもよい。
【００７２】
ステップ７３０にて、受信装置／記録装置は、当該生体内センサから受信された画像あるいはその他の情報を表示し得る。
【００７３】
ある実施態様においては、画像は、記録され、あるいは当該受信装置／記録装置から、たとえば携帯電話のあるいは他の電磁波によってメモリにあるいは遠隔地にいるユーザに送信され得る。
【００７４】
この発明のある特徴がここに示され述べられてきたが、多くの変形、置換、変更あるいは均等物がこの分野における当業者の心に浮かぶであろう。したがって、添付されたクレームは、この発明の精神の中に含まれるそのような全ての修正を含むことが意図されていることが理解されるべきである。
【図面の簡単な説明】
【００７５】
【図１Ａ】この発明のある実施態様に従う、検知装置および受信装置／記録装置を含む例示的な生体内検知システムの簡略化された例示である。
【図１Ｂ】この発明のある実施態様に従う、検知装置および受信装置、記録装置、ワークステーション、携帯型装置および携帯型メモリを含む例示的な生体内検知システムの簡略化された例示である。
【図１Ｃ】この発明のある実施態様に従う例示的なツールボックスの画面である。
【図２】この発明のある実施態様に従う、生体内検知システムの例示的な簡略化されたブロック図の例示である。
【図３】この発明のある実施態様に従う、生体内検知システムにおいて生じ得るイベントを表わす簡略化されたタイミング図である。
【図４Ａ】この発明のある実施態様に従う当該検知装置のタイミング図を表わす例示的な図である。
【図４Ｂ】この発明のある実施態様に従う当該検知装置のタイミング図を表わす概念的な図である。
【図５Ａ】この発明のある実施態様に従う、生体内検知装置によって集められた情報を同時に受信しおよび表示するための方法の概念的なフローチャートである。
【図５Ｂ】この発明のある実施態様に従う、生体内の場所をリアルタイムで表示するための方法の概念的なフローチャートである。
【図６】この発明のある実施態様に従う、生体内の場所をリアルタイムで表示するための方法の他の概念的なフローチャートである。
【図７】この発明の他の実施態様に従う、生体内の場所をリアルタイムで表示するための方法の他の概念的なフローチャートである。
【図１Ａ】
2008504922.tif 000003
【図１Ｂ】
2008504922.tif 000004
【図１Ｃ】
2008504922.tif 000005
【図２】
2008504922.tif 000006
【図３】
2008504922.tif 000007
【図４Ａ】
2008504922.tif 000008
【図４Ｂ】
2008504922.tif 000009
【図５Ａ】
2008504922.tif 000010
【図５Ｂ】
2008504922.tif 000011
【図６】
2008504922.tif 000012
【図７】
2008504922.tif 000013
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
生体内の検知装置と、
前記検知装置が患者の体内に存在する間に前記生体内の検知装置から受信した画像を表示装置に表示するための受信装置とを備える、生体内検知システム。
【請求項２】
前記受信装置は、前記生体内の検知装置から受信した画像をメモリに記録することと、前記画像を処理することと、前記受信装置のディスプレイに前記画像を表示することとを、同時に実行する、請求項１に記載のシステム。
【請求項３】
前記受信装置は、前記生体内の検知装置から受信した画像をメモリに記録することと、同時に前記受信装置のディスプレイに前記画像を表示することとを実行する、請求項１に記載のシステム。
【請求項４】
ワークステーションを備える、請求項１に記載のシステム。
【請求項５】
前記ワークステーションは、ワークステーションのディスプレイを含む、請求項４に記載のシステム。
【請求項６】
前記受信装置は、前記生体内の検知装置から受信したストリーム画像のうちの画像をメモリに記録することと、前記画像を前記メモリから前記ワークステーションにダウンロードすることと、前記画像を前記ワークステーションのディスプレイに表示することとを同時に実行する、請求項５に記載のシステム。
【請求項７】
前記受信装置は、前記生体内の検知装置から受信したストリームの画像のうちの画像をメモリに記録することと、前記メモリからワークステーションに前記画像をダウンロードすることと、前記画像を前記ワークステーションのディスプレイに表示することとを同時に実行する、請求項５に記載のシステム。
【請求項８】
携帯型のメモリを備える、請求項１に記載のシステム。
【請求項９】
前記受信装置は、前記生体内の検知装置から受信した画像を携帯型の装置に記録する、請求項８に記載のシステム。
【請求項１０】
前記検知装置は、筐体と、イメージングシステムと送信装置とを含む、請求項１に記載のシステム。
【請求項１１】
前記受信装置は、携帯型の装置である、請求項１に記載のシステム。
【請求項１２】
前記ワークステーションは、携帯型の装置である、請求項４に記載のシステム。
【請求項１３】
前記ワークステーションは、前記受信装置が前記ワークステーションに記録された情報を転送する順序を制御する、請求項４に記載のシステム。
【請求項１４】
生体内検知装置から受信した情報をリアルタイムで記録するための受信装置であって、前記受信装置は、
メモリと、
アンテナと、
プロセッサと、
ディスプレイとを含む、受信装置。
【請求項１５】
前記受信装置は携帯可能である、請求項１４に記載の装置。
【請求項１６】
キーパッドを備える請求項１４に記載の装置。
【請求項１７】
セル方式の送信装置を備える請求項１４に記載の装置。
【手続補正２】
【補正対象書類名】図面
【補正対象項目名】図２
【補正方法】変更
【補正の内容】
【図２】
2008504922.tif 000014
【国際調査報告】
2008504922.tif 000015
2008504922.tif 000016